(57)【要約】      （修正有）【課題】リサイクルが容易かつ長期保存性がすぐれた書類綴じファイルを提供する。【解決手段】一枚の紙を折り曲げて作成した書類綴じファイルであって原材料として、丈夫な長方形の厚紙を用意し横長に置き、上下に延びる短い辺である短辺から表表紙体の寸法の位置で短辺に平行に折り曲げ表表紙体１を形成し、同様に、綴込み部２の寸法の位置で反対方向に折り返し、さらに表表紙体形成のため折り曲げた位置で、表紙体と反対方向で、表表紙体に対し直角に折り曲げ、綴込み部を形成し、さらに背表紙体の寸法の位置で直角に、表表紙体と向き合うように折り曲げ裏表紙体とした書類綴じファイルにおいて、該綴じ込み部を構成する、折り重なった紙は、高分子接着剤により貼り合わさった構造となっていることを特徴とする書類綴じファイル。そして、綴込み部に貫通孔が設けられ、好ましくは、高分子接着剤として、ホットメルト形接着剤が用いられる。【選択図】図５
0003104259.tif 000002
【実用新案登録請求の範囲】
【請求項１】
一枚の紙を折り曲げて作成した書類綴じファイルであって、
原材料として、丈夫な長方形の厚紙を用意し横長に置き、
上下に延びる短い辺である短辺から表表紙体の寸法の位置で短辺に平行に折り曲げ表表紙体を形成し、同様に、綴込み部の寸法の位置で反対方向に折り返し、さらに表表紙体形成のため折り曲げた位置で、表紙体と反対方向で、表表紙体に対し直角に折り曲げ、綴込み部を形成し、
さらに背表紙体の寸法の位置で直角に、表表紙体と向き合うように折り曲げ裏表紙体とした書類綴じファイルにおいて、
該綴じ込み部を構成する、折り重なった紙は、さらに高分子接着剤により貼り合わさった構造となっていることを特徴とする書類綴じファイル。
【請求項２】
請求項１の書類綴じファイルにおいて、書類シートなどを、書類シートを綴じるための書類綴じ材を用いて綴込むため、綴込み部に貫通孔が設けられていることを特徴とする書類綴じファイル。
【請求項３】
請求項１、請求項２において、書類シートを綴じるための書類綴じ材として、紐が用いられ、書類シートは穴が開けられ、綴込み部と紐で結ばれ綴じられていることを特徴とする書類綴じファイル。
【請求項４】
請求項１、請求項２において、書類シートを綴じるための書類綴じ材として、プラスチック片が用いられ、書類シートは穴が開けられ、プラスチック片は一端を太くして抜けることを防止するとともに、プラスチック片の先は、書類シートを綴じた後、向きを変更してすり抜けを防止していることを特徴とする書類綴じファイル。
【請求項５】
請求項１、請求項２において、高分子接着剤として、ホットメルト形接着剤を用いていることを特徴とする書類綴じファイル。
【請求項６】
請求項１、請求項２において、高分子接着剤として、テープ形接着剤を用いることを特徴とする書類綴じファイル。
【考案の詳細な説明】
【技術分野】
【０００１】
本考案は、リサイクルが容易かつ長期保存性がすぐれた書類綴じファイルに関するものである。
【背景技術】
【０００２】
従来、書類シートをまとめるため、書類綴じファイルが広く使用されている。
書類綴じファイルとしては、原材料として、丈夫な長方形の厚紙を用意し横長に置き、上下に延びる短い辺である短辺から表表紙体の寸法の位置で、短辺に平行に折り曲げ表表紙体を形成し、
次に、同様にして、綴込み部の寸法の位置で反対方向に折り返し、綴込み部をホッチキスなどの金属製ピンで接合して綴込み部を形成させ、
次に表表紙体の端と同じ位置で、表紙体と反対方向に直角に折り曲げ背表紙体を作成し、さらに表表紙体と平行になるよう、直角に折り曲げ裏表紙体とした構造の書類綴じファイルが広く使用されてきた。
【０００３】
しかし、書類綴じファイルにおいて、前記の如きホッチキスなどを使用して金属製ピンで接合する方法は、強く接合可能であり、かつ簡便ではあるが、重大な欠点が存在する。即ち、書類綴じファイルを、金属製ピンをつけたままリサイクルしようとすると、リサイクルの際使用する薬品により金属製ピンが化学反応を起こし、リサイクル後の紙の品質を悪化させるのである。
【０００４】
また別の欠点として、金属製ピンを使用した書類綴じファイルに書類シートを綴じ長期間書類シートを保存しておくと、空気中に微量存在する亜硫酸ガスなどにより金属製ピンに錆が生じ、綴じた書類シートを汚すのである。
【０００５】
古紙としてリサイクルが容易な書類綴じファイルとして、書類綴じ金具を着脱容易とした書類綴じファイルが開示されている（特許文献１）。また特殊構造の書類綴じ部材を用いることにより、書類シートごとリサイクル可能とした書類綴じファイルが開示されている（特許文献２）。しかし、前記したような紙を折り曲げ作成した綴込み部を用いる従来広く使用されてきた構造の書類綴じファイルには適用できない。
【０００６】
【特許文献１】実用新案登録第３０９１４４４号公報
【特許文献２】特開平１０−３１５６７５号公報
【考案の開示】
【考案が解決しようとする課題】
【０００７】
即ち、本考案は、リサイクルが容易かつ長期保存性がすぐれた書類綴じファイルの開発を目的とする。
【課題を解決するための手段】
【０００８】
本考案は、
（１）  一枚の紙を折り曲げて作成した書類綴じファイルであって
原材料として、丈夫な長方形の厚紙を用意し横長に置き、
上下に延びる短い辺である短辺から表表紙体の寸法の位置で短辺に平行に折り曲げ表表紙体を形成し、同様に、綴込み部の寸法の位置で反対方向に折り返し、さらに表表紙体形成のため折り曲げた位置で、表紙体と反対方向で、表表紙体に対し直角に折り曲げ、綴込み部を形成し、
さらに背表紙体の寸法の位置で直角に、表表紙体と向き合うように折り曲げ裏表紙体とした書類綴じファイルにおいて、
該綴じ込み部を構成する、折り重なった紙は、さらに高分子接着剤により貼り合わさった構造となっていることを特徴とする、
（２）  （１）の書類綴じファイルにおいて、書類シートなどを、書類シートを綴じるための書類綴じ材を用いて綴込むため、綴込み部に貫通孔が設けられていることを特徴とする、
（３）  （１）、（２）において、書類シートを綴じるための書類綴じ材として、紐が用いられ、書類シートは穴が開けられ、綴込み部と紐で結ばれ綴じられていることを特徴とする、
（４）  （１）、（２）において、書類シートを綴じるための書類綴じ材として、プラスチック片が用いられ、書類シートは穴が開けられ、プラスチック片は一端を太くして抜けることを防止するとともに、プラスチック片の先は、書類シートを綴じた後、向きを変更してすり抜けを防止していることを特徴とする、
（５）  （１）、（２）において、高分子接着剤として、ホットメルト形接着剤を用いていることを特徴とする、
（６）  （１）、（２）において、高分子接着剤として、テープ形接着剤を用いることを特徴とする。
【０００９】
本考案の書類綴じファイルでは、可撓性の乏しい紙が使用される。可撓性が大きすぎると書類シートを綴じた状態で曲がりやすく形態安定性が乏しいからである。一方、書類綴じファイルを作成する際、紙を折り曲げる必要があり、折り曲げ容易である必要がある。また表面に字を書くことが可能である必要がある。このため、プラスチックフィルムや、合成紙では好ましくなく、厚紙乃至板紙といわれるセルロース系の紙が好ましい。
【００１０】
本考案で使用する高分子接着剤としては、エチレン、酢酸ビニル、アクリル酸エステル、メタクリル酸エステルなどのビニル単量体を重合して得られるビニル重合体や、ビニル重合体に架橋結合を導入した架橋ビニル重合体、エポキシ樹脂、フェノール樹脂などの重縮合・重付加物重合体をあげることができるが、特に好ましいのはホットメルト接着剤である。ホットメルト接着剤は、常温では粘着性や接着性は有さないが、加熱する時、溶融すると同時に、粘着性・接着性が生じ、冷却すると加熱時の接着性は保持しつつ粘着性は失われ、取り扱いが容易となるからである。
このようなホットメルト接着剤としては、エチレン・酢酸ビニル共重合物やエチレン・酢酸ビニル共重合物のケン化物、エチレン・アクリル酸エステル共重合物や、これらの共重合物にパラフィンなどを配合した組成物をあげることができる。
【００１１】
そして、高分子接着剤はテープ状であることが好ましい。テープ状のホットメルト接着剤を使用する時、必要な量だけ高分子接着剤であるテープを切り離し、接着しようとする部分に挿入し加熱すれば接着が完了するからである。
【００１２】
本考案の書類綴じファイルにおいて、書類綴じ材として使用する紐としてはナイロン、木綿、ポリエステル繊維などで作成した紐をあげることができる。書類シートを綴じる方法としては、書類綴じファイルの綴込み部に開けた穴と、書類シートに開けた穴に紐を通し、紐を結ぶことで可能である。
【００１３】
紐で結ぶ手間を省いて書類シートを綴じる方法として、書類綴じ材として可撓性のあるプラスチック片を使用する従来公知の方法がある。プラスチック片は、抜け落ちるのを防止するため、一方の端を太くする。種類綴込み部に開けた穴や、書類シートに開けた穴にプラスチック片を通し、プラスチック片を、書類綴じ特殊器具を用い直角に曲げ固定して書類シートを綴じるのである。プラスチック片に使用する材料としては、可撓性が必要であり、ポリエチレンが好適である。
【考案を実施するための最良の形態】
【００１４】
図１に示したように、まず書類綴じファイルの対応した大きさの長方形の厚紙を用意し横長に置く。図２に示したように、長方形の短い辺である短辺から表表紙体の大きさの位置Ａ１−Ａ２で折り曲げ、まず表表紙体１を作成する。図３に示したように、綴込み部２形成のため、綴込み部の寸法に相当する位置Ｂ１−Ｂ２及びＣ１−Ｃ２で折り曲げ、重ね合わせる。さらに図４に示したように、背表紙体の長さに相当する位置Ｄ１−Ｄ２で直角に折り曲げ、背表紙体３と裏表紙体４を形成する。図５に示したようにホットメルト接着剤テープ小片５を挿入し１２０℃に３分加熱して前記折り曲げた部分を接着する。
【００１５】
図６は、本考案の書類綴じファイルに、紐６を用いて綴じ、表表紙体１を書類シート９の下にし、上から見た時の書類綴じファイルの斜視図である。書類シート９に穴を開け、綴込み部にある穴と書類シート９に開けた穴に紐６を通し、紐６の両端を結ぶことにより書類シートを綴じる。図７は、紐の代わりに、プラスチック片７を用いて綴じ、表表紙体１を書類シート９の下にし、上から見た時の斜視図である。プラスチック片の端１０は先が広がっていて脱落しがたい構造となっている。プラスチック片７は、書類シートに開けた穴を通り、書類綴じ特殊器具８を用い、プラスチック片の湾曲部１１で向きを変え、書類シートのすり抜けを防止している。
【００１６】
以上の説明で明らかなように、本考案の書類綴じファイルは、以下のような効果がある。
（ａ）本考の書類綴じファイルでは、綴込み部の接合に金属を使用していないので、接合に使用した金属を除去することなく、リサイクルにまわすことが可能であり手間が省けると同時に、金具をつけたままリサイクルにまわし、リサイクル後の紙の品質を低下させる事故をなくすることができる。
（ｂ）使用する書類綴じ特殊器具としてポリエチレン製などのプラスチック製品を使用すれば、耐薬品性がすぐれているのでファイルをはずすことなく、そのままリサイクルにまわすことが可能となる。
（ｃ）本考案の書類綴じファイルは金属を除去することが可能であるため、空気中に微量に存在する亜硫酸ガスなどによって錆びることがなく、書類シートを綴じて長期間保管しても、錆が発生して書類シートを汚すことがない。
（ｄ）本考案の書類綴じファイルを使用するとリサイクルが容易であるため、省資源が可能であり産業の発展に資することが可能である。
【図面の簡単な説明】
【００１７】
【図１】書類綴じファイル作成に使用する長方形用紙の正面図である。
【図２】長方形用紙を折り曲げ表表紙体を作成した後の長方形用紙の斜視図である。
【図３】長方形用紙を折り曲げ表表紙体、綴込み部を作成した後の長方形用紙の斜視図である。
【図４】長方形用紙を折り曲げ表表紙体、綴込み部、背表紙体を作成した後の長方形用紙の斜視図である。
【図５】綴込み部にホットメルト接着剤テープ小片を挿入した斜視図である。
【図６】書類綴じファイルを紐で綴じ、表表紙体を書類シートの下にして、上から見た時の斜視図である。
【図７】書類綴じファイルをプラスチック片で綴じ、表表紙体を書類シートの下にして、上から見た時の斜視図である。
【図８】プラスチック片で綴じた時の部分断面図である。
【符号の説明】
【００１８】
１    表表面体
２    綴込み部
３    背表紙体
４    裏表紙体
５    ホットメルト接着剤テープ小片
６    紐
７    プラスチック片
８    書類綴じ特殊器具
９    書類シート
１０  プラスチック片の端
１１  プラスチック片の湾曲部
Ａ１−Ａ２  表表紙体形成のための折り曲げ線
Ｂ１−Ｂ２  綴込み部形成のための折り曲げ線
Ｃ１−Ｃ２  背表紙体形成のための折り曲げ線
Ｄ１−Ｄ２  裏表紙体形成のための折り曲げ線
【図１】
0003104259.tif 000003
【図２】
0003104259.tif 000004
【図３】
0003104259.tif 000005
【図４】
0003104259.tif 000006
【図５】
0003104259.tif 000007
【図６】
0003104259.tif 000008
【図７】
0003104259.tif 000009
【図８】
0003104259.tif 000010